(57)【要約】【課題】  ゴミ等によりシートスルーモードにおける読取位置を移動した場合でもシートスルーモードと圧板モードにおける読み取りレベルの差がなくなるように読み取りレベル補正が可能な画像読取装置を提供する。【解決手段】  原稿を照明し、その反射光を電気信号に変換するイメージセンサを用いて原稿を読み取る画像読取装置において、移動する原稿を固定された状態で読み取るシートスルーモードと、固定された原稿を移動しながら読み取る圧板モードを有する読み取り手段と、シートスルーモードにおいて、読み取り手段における副走査方向の読取位置を移動させる読取位置移動手段と、読取位置の移動量に応じて、シートスルーモードにおける読み取り手段の読取レベルを補正するレベル補正手段とを備え、読取位置を移動した場合に発生する読み取りレベルの変動を防止するようにした。【選択図】      図３
2006087051.tif 000002
【特許請求の範囲】
【請求項１】
原稿を照明し、その反射光を電気信号に変換するイメージセンサを用いて原稿を読み取る画像読取装置において、移動する原稿を読み取り位置を固定した状態で読み取る第１の読み取りモードと、固定された原稿を読み取り位置を移動しながら読み取る第２の読み取りモードを有する読み取り手段と、前記第１の読み取りモード時において、前記読み取り手段における副走査方向の読取位置を移動させる読取位置移動手段と、前記読取位置の移動量に応じて、前記第１の読み取りモードにおける前記読み取り手段の読取レベルを補正するレベル補正手段と、を備えることを特徴とする画像読取装置。
【請求項２】
前記レベル補正手段は、前記第１及び第２の読み取りモードにより同じ原稿を読み取ったときに、前記第１の読み取りモードの読み取りレベルが、前記第２の読み取りモードの読取レベルと同等になるように、前記第１の読み取りモード時における前記読み取り手段の読み取りレベルを補正することを特徴とする請求項１に記載の画像読取装置。
【請求項３】
前記レベル補正手段は、スキャナγのデータを、前記第１の読み取りモードと前記第２の読み取りモードに応じて切り替えることを特徴とする請求項２に記載の画像読取装置。
【請求項４】
前記レベル補正手段は、前記第１及び第２の読み取りモードにより同じ原稿を読み取ったときに、前記第１の読み取りモードの読み取りレベルが、前記第２の読み取りモードの読取レベルと同等になるように、前記スキャナγのＲＧＢ毎のデータを、前記第１の読み取りモードと前記第２の読み取りモードに応じて切り替えることを特徴とする請求項１に記載の画像読取装置。
【請求項５】
請求項１乃至４のいずれか一項に記載の画像読取装置と、前記画像読取装置によって読み取られた画像データに基づいて記録媒体上に可視画像を形成する画像形成手段と、を備えていることを特徴とする画像形成装置。
【発明の詳細な説明】
【技術分野】
【０００１】
本発明はシートスルー・ドキュメント・フィーダを使用する画像読取装置と、そのような画像読取装置を備えた画像形成装置に関するものであり、特に、シートスルーモードと圧板モードの読み取りレベルの差がなくなるように、読み取りレベル補正を行う画像読取装置に関するものである。
【背景技術】
【０００２】
一般に、ＭＦＰ（コピー、ＦＡＸ等の複合機）等の画像形成装置において、その画像読取装置にシートスルー・ドキュメント・フィーダ（以下、「ＳＤＦ」という）を装着した機種の比率が高まってきている。また、コピーにおける原稿台での読み取りに対してもＳＤＦでの読み取りの比率が高くなってきている。
この種の画像読取装置では、原稿を固定して読み取るための原稿台としてのコンタクトガラスとは別に、ＳＤＦ用原稿台としてのＳＤＦ用コンタクトガラスが設けられており、ＳＤＦ使用時には、コンタクトガラス上にセットされた原稿を副走査方向に走行して走査する走査手段をＳＤＦ用コンタクトガラスの読み取り位置に固定し、ＳＤＦ用コンタクトガラス上を原稿が通過する過程で、下方に固定された走査手段で原稿を順次読み取る、いわゆるシートスルー方式により読み取りを行うようにしている。
なお、先行技術としては、例えばＳＤＦを使用した第１の読み取りモードと圧板を使用した第２の読み取りモードとを備え、いずれかのモードで原稿を読み取り、読み取った画像情報をデジタル変換された画像信号に変換し、デジタル変換された画像信号を顕像として出力可能な画像信号になるように処理する画像処理装置において、前記第１の読み取りモードと第２の読み取りモードとでそれぞれ読み取り補正の最適化を独立して行うため、前記２つのモードによって読み取り位置を切り替える圧板／背景板切り替え制御部と、前記２つのモードに応じて最適なシェーディング補正を行わせるシェーディング補正部と、前記２つのモードに応じて黒スジ補正及び白スジ補正を切り替えてスジ補正を行うスジ補正部とを設けるようにしたものがある（特許文献１）。
【特許文献１】特開２０００−１９６８８１公報
【発明の開示】
【発明が解決しようとする課題】
【０００３】
しかしながら、上記した従来のＳＤＦを装着した画像形成装置は、以下のような問題点があった。
通常は、装置の小型化を図るためにＳＤＦの搬送経路は原稿を反転させる構成となっているため、ＳＤＦ用コンタクトガラスの読み取り位置では、原稿である紙のこし等によって、ガラス面に密着しない、いわゆる原稿浮きが生じやすい。このため、原稿台にセットされた原稿を上から圧板で押さえつけて読み取りを行う圧板モードに比べて、シートスルーモードでは暗い画像になってしまう。
また、ＳＤＦ用コンタクトガラスの周辺は板金等によって構成されているため、原稿に対するランプの照射条件もシートスルーモードと圧板モードで異なるため、同じ原稿を読み取っても読み取りレベルが変化してしまう。
また、ＳＤＦ用コンタクトガラス上にゴミがあり、そのゴミが読み取り位置にあった場合は黒スジ画像となってしまう。このため、ゴミを検出した場合に読み取り位置を移動するといったことが考えられるが、その場合は読取位置によりＳＤＦ時の読み取りレベルが変動するという不具合があった。特に、カラーの画像読取装置では、一般に３ラインのＣＣＤラインセンサを使用しており、ＲＧＢにより読み取り位置が異なるため、ゴミを避けるために読取位置を移動した場合に読み取りレベルの変動具合がＲＧＢ毎に異なり色味が変わるおそれがあった。
そこで、本発明は上記したような点を鑑みてなされたもので、ゴミ等によりシートスルーモードにおける読取位置を移動した場合でも、シートスルーモードと圧板モードにおける読み取りレベルの差がなくなるように、読み取りレベル補正が可能な画像読取装置と、そのような画像読取装置を備えた画像形成装置を提供することを目的とする。
【課題を解決するための手段】
【０００４】
上記目的を達成するため、請求項１記載の発明は、原稿を照明し、その反射光を電気信号に変換するイメージセンサを用いて原稿を読み取る画像読取装置において、移動する原稿を読み取り位置を固定した状態で読み取る第１の読み取りモードと、固定された原稿を読み取り位置を移動しながら読み取る第２の読み取りモードを有する読み取り手段と、前記第１の読み取りモード時において、前記読み取り手段における副走査方向の読取位置を移動させる読取位置移動手段と、前記読取位置の移動量に応じて、前記第１の読み取りモードにおける前記読み取り手段の読取レベルを補正するレベル補正手段と、を備えることを特徴とする。
また請求項２記載の発明は、請求項１に記載の画像読取装置において、前記レベル補正手段は、前記第１及び第２の読み取りモードにより同じ原稿を読み取ったときに、前記第１の読み取りモードの読み取りレベルが、前記第２の読み取りモードの読取レベルと同等になるように、前記第１の読み取りモード時における前記読み取り手段の読み取りレベルを補正することを特徴とする。
請求項３記載の発明は、請求項２に記載の画像読取装置において、前記レベル補正手段は、スキャナγのデータを、前記第１の読み取りモードと前記第２の読み取りモードに応じて切り替えることを特徴とする。
請求項４記載の発明は、請求項１に記載の画像読取装置において、前記レベル補正手段は、前記第１及び第２の読み取りモードにより同じ原稿を読み取ったときに、前記第１の読み取りモードの読み取りレベルが、前記第２の読み取りモードの読取レベルと同等になるように、前記スキャナγのＲＧＢ毎のデータを、前記第１の読み取りモードと前記第２の読み取りモードに応じて切り替えることを特徴とする。
請求項５記載の発明は、請求項１乃至４のいずれか一項に記載の画像読取装置と、前記画像読取装置によって読み取られた画像データに基づいて記録媒体上に可視画像を形成する画像形成手段と、を備えている。
【発明の効果】
【０００５】
本発明によれば、第１の読み取りモード（シートスルーモード）と第２の読み取りモード（圧板モード）の原稿を読み取った画像データの出力レベルをモードにかかわらず、最適なレベルまたは同等なレベルに補正することが可能になる。
また、コンタクトガラス上に紙紛等ゴミや汚れが付着している場合において、ゴミなどによる縦スジ画像を軽減するために第１の読み取りモードの読み取り位置を移動した場合でも、その読取位置の移動量に応じて読取レベルを補正しているので、読取位置を移動した場合に発生する読み取りレベルの変動を防止することができるようになる。
【発明を実施するための最良の形態】
【０００６】
以下に添付の図を参照してこの発明の実施形態を詳細に説明する。
図１は、本発明による画像読取装置の一実施形態の概略図である。
図１に示すように、本発明の画像読取装置としてのスキャナ１３は、読み取り部１２と、この読み取り部１２の上部に取り付けられたＳＤＦ２０を有している。
読み取り部１２には、原稿台として原稿を載置するコンタクトガラス１と、原稿露光用の照明ランプ２と第１反射ミラー３とからなる第１キャリッジ６と、第２反射ミラー４及び第３反射ミラー５からなる第２キャリッジ７と、ＣＣＤリニアイメージセンサ９（以下、単に「ＣＣＤ」という）に結像するためのレンズユニット８と、ＣＣＤ９を搭載するセンサーボード１０と、読み取り光学系等による各種の歪みを補正するための白基準板１１から構成される。
コンタクトガラス１に原稿を上から圧力をかけて載置固定して読み取る第２の読み取りモード（圧板読み取り）の場合には、第１キャリッジ６が一定の速度で往動（矢印Ａ方向）し、かつ、第２キャリッジ７が第１キャリッジ６の１／２の速度で第１キャリッジ６に追従して往動することにより、コンタクトガラス１上の原稿が光学的に走査される。
原稿の読み取り終了後、第１キャリッジ６及び第２キャリッジ７は、ホームポジションに復動する。図１で示す位置が、第１キャリッジ６及び第２キャリッジ７のホームポジションである。なお、第１キャリッジ６及び第２キャリッジ７を移動するために図示しないモータ駆動系が読み取り部１２に設けられている。
一方、原稿を移動させながら読み取るＳＤＦ１３による読み取り動作（第１の読み取りモード）の場合は、原稿トレイ２１に積載された原稿２２が、ピックアップローラ２３により分離部へ送られ、分離部においてフィードローラ２４と分離ローラ２５により１枚ずつ分離されて搬送される。その後、原稿２２はフィードローラとしての搬送ドラム２６とこの搬送ドラム２６の周囲に配置されて搬送ドラム２６に押圧された複数の従動コロ２７により搬送される。搬送された原稿は、読み取り位置（前記ホームポジション）Ｙに達すると、所定のタイミングで照明ランプ２により下面の原稿面側が照射され、その反射光が第１反射ミラー３と第２反射ミラー４、第３反射ミラー５により前記動作と同様にＣＣＤ９に結像されて光電変換される。原稿２２は搬送ドラム２６及び従動コロ２７によって、図１の右側へ搬送され、ＣＣＤ９に入光する反射光は原稿の副走査方向に走査される。画像情報が読み取られた原稿は、排紙ローラ対２８により排紙トレイ２９に排出される。
【０００７】
図２は、本実施形態の画像読取装置における読み取り位置Ｙ周辺の構成を示した図である。なお、図１と同一部位には同一符号を付し、説明は省略する。
この図２に示すように、読み取り位置Ｙには搬送ドラム２６に対向してシートスルー用コンタクトガラス３０が設けられており、シートスルー用コンタクトガラス３０上部には、上ガイド板３１が設けられている。
シートスルー用コンタクトガラス３０上に紙紛等ゴミや汚れが付着していると、ＳＤＦ１３による第１の読み取りモード（シートスルーモード）は読取位置が変動しないため、縦スジ画像になってしまう。そこで、本実施形態では、第１の読み取りモードにおいては、例えば、読み取り位置Ｙにゴミや汚れが付着していると判断したときは読取位置Ｙを移動して縦スジ画像を軽減するようにしている。なお、コンタクトガラス３０上に紙紛等ゴミや汚れが付着しているか否かの判別方法は各種提案されており、公知なので説明を省略する。また、読取位置Ｙの移動方法としては、第１キャリッジ６及び第２キャリッジ７を動かしてホームポジションを移動すればよい。
【０００８】
図３は、読み取りデータの処理を行うブロックの構成図である。
この図３に示すスキャナ４０によって読み取ったデータは、画像処理部４１で所定の画像処理が施され、プリンタ部４２で印字、すなわち書き込みが行われる。
スキャナ４０は、ＣＣＤ９、アナログ処理回路４３及びＡ／Ｄコンバータ４４から構成されている。ＣＣＤ９はＲＧＢのフィルタを被せたＣＣＤセンサが、３列並んでいるカラー３ラインＣＣＤとされる。
アナログ処理回路４３は、ＣＣＤ９から出力されるアナログ波形の信号部分をサンプリングすると共にアンプを内蔵して信号のゲインを調整する。
Ａ／Ｄコンバータ４４は、Ｒ、Ｇ、Ｂ各色のアナログ画像信号を８ビットのカラーデジタル画像情報に変換して画像処理部４１に出力する。
画像処理部４１は、ライン間補正部４５、シェーディング補正部４６、像域分離部４７、ドット補正部４８、スキャナγ部４９、フィルタ部５０、色補正部５１、変倍部５２、プリンタγ部５３、及び階調処理部５４からなり、階調処理部５４で階調処理された画像データをプリンタ４２側に出力する。
ライン間補正部４５は、Ｒ信号を８ライン蓄えて、Ｇ信号を４ライン蓄えて遅延させることでライン間の位置ズレを補正するようにしている。これは、スキャナ部４０のＣＣＤ９として前述のように３ラインＣＣＤを設けた場合、ＣＣＤ９から出力される信号は等倍時４ライン間隔の位置ズレが存在する。すなわち、Ｒ−Ｂ間では、８ラインの位置ズレが存在するため、このような位置ズレを補正するようにしている。
シェーディング補正部４６は、光学系の濃度ムラ、ＣＣＤ９の感度バラツキに関する補正を各ＲＧＢ信号に対して行う。
ドット補正部４８は、変倍時において、ライン間補正部４５だけでは位置ズレが合わない場合が生じるため、ライン間補正部４５で補正しきれない１ライン以下の位置ズレを周囲の画素を参照して補正する。
【０００９】
スキャナγ部４９は、反射率に関しリニアな特性を持っているデータを後段の色補正部５１で色補正の補正精度が向上するような特性に変換する。そして、本実施形態では、このようなスキャナγ部４９のγデータを圧板読取とＳＤＦ読取とのレベル差を補正するためにも使用するようにしている。
像域分離部４７は、後段の処理において画像の特徴に合った最適な処理を行うために、画像が文字領域であるか絵柄領域であるかを判定する。
フィルタ５０は、文字領域はシャープにするためにエッジを強調し、絵柄領域に対しては滑らかにするために平滑化処理を行う。
色補正部５１は、ＣＣＤ９で読み取ったＲＧＢの信号をＣ、Ｍ、Ｙ、Ｋの信号に変換する。ＣＣＤ９の感度、インクの特性は理想と異なるため、複写機においては、原稿との差を補正するように色補正パラメータの調整を行う。
変倍部５２は、主走査方向の変倍処理を行う。この場合、コンボリューション法を使うことで、読み取り光学系のＭＴＦを保持したまま変倍処理を行い、画像データの解像力を維持する。副走査方向に関しては走査速度を制御することにより行う。なお、コンボリューション法に関しては、公知なのでここでは説明を省略する。
プリンタγ部５３では、原稿とコピー濃度を最終的に一致させる。原稿とトナーの分光特性の差、グレーバランス、トップ濃度が適正になるように処理を行う。
階調処理部５４は、８ビットの濃度情報を２値化、あるいは多値化する。このとき文字領域では２値化あるいは数段間の多値化を、絵柄領域ではディザ処理あるいは誤差拡散処理を行い、プリンタ部４２に出力する。
プリンタ部４２は、Ｃ、Ｍ、Ｙ、Ｋの画像データを、ＬＤ書込み部５５を介して、用紙に印字する。
【００１０】
図４は、スキャナ部のＣＣＤ出力からデジタル画像信号を得るまでの信号処理ブロックの構成を示した図を示す。
まずＣＣＤ９から駆動パルスに同期して画像信号ＶＥ、ＶＯが出力され、サンプルホールド回路６０によって画像信号ＶＥ、ＶＯをそれぞれサンプルパルスによりサンプリングして保持することにより画像信号を連続したアナログ信号に変換する。そして、黒レベル補正回路部６１においてＣＣＤの暗出力レベルのバラツキを補正した後、増幅回路（アンプ）６２において各色信号の奇数、偶数画素の出力を一定レベルに合わせる。その後、マルチプレクス回路６３において奇数、偶数画素の出力をマルチプレクスした信号をＡ／Ｄコンバータ４４によってデジタルデータに変換して、画像データをＩ／Ｆ６７から後段の画像処理部４１に出力する。
ＣＣＤ９及びその他の回路の駆動に必要な信号は制御ＡＳＩＣ６４で生成される。
ＣＣＤ９を３ラインＣＣＤにより構成した場合は、上記と同様な回路がＲＧＢ信号ごとに構成される。
制御ＡＳＩＣ６４は、Ｄ／Ａコンバータ（ＤＡＣ）６５を介して２チャンネルの出力電圧Ｖ１、Ｖ２を切替回路６６に出力する。また制御ＡＳＩＣ６４は、切替回路６６を制御して出力電圧Ｖ１、Ｖ２のいずれか一方を出力電圧ＶｒｅｆｔとしてＡＤコンバータ４４に出力する。
このような本実施形態の画像読取装置によれば、読み取りモードがシートスルーモードか、圧板モードかによって、図示しないコントローラによってスキャナγ部４９において使用するγデータを設定するようにしている。シートスルーモードでは、ホームポジションでの読み取りとなり、原稿の浮き、照明ランプの照射条件の影響で、通常は圧板読み取り時より暗くなった場合でも、スキャナγ部４９においてγ補正後のデータを明るくすることができる。これにより、シートスルーモード（第１の読み取りモード）と圧板モード（第２の読み取りモード）における読み取りデータの差を小さくすることができる。読み取りモードにかかわらず、最適なレベルまたは同等なレベルに補正することが可能になる。
【００１１】
また、本実施形態の画像読取装置では、コンタクトガラス３０上に紙紛等ゴミや汚れが付着していると、シートスルーモードは読取位置が変動しないため、縦スジ画像になってしまう。そこで、シートスルーモードにおいては例えば読み取り位置Ｙにゴミや汚れが付着していると判断したときは、読取位置Ｙを移動して縦スジ画像を軽減するようにしているが、このとき、コントローラはシートスルーモードのスキャナγデータを読取位置Ｙからの移動距離に応じて、予め設定されているスキャナγ部４９のスキャナγデータから選択するか、またはスキャナγデータを演算することにより設定するようにしている。これにより、シートスルーモードにおいて、読取位置Ｙを移動した場合に発生する読み取りレベルの変動を防止することができるようになる。
図５は、読取位置Ｙからの読取距離に応じた原稿反射率と読み取りデータの関係を示した図であり、Ａは読取位置Ｙにおける特性、Ｂは読取位置Ｙから１ｍｍずらした位置における特性、Ｃは読取位置Ｙから２ｍｍずらした位置における特性がそれぞれ示されている。この図からわかるように読み取り位置Ｙから読み取り位置をずらすにしたがって原稿反射率と読み取りデータの特性が変化していることが分かる。
また、本発明をカラーの画像読取装置に適用する場合は、同様に読取位置に応じたスキャナγデータをＲＧＢごとに３種類用意しておくことにより、読取位置が移動しても色味が変わることなく、かつ圧板読取と差がない読取画像を得ることができる。
【００１２】
以下、ＳＤＦを使用した第１の読み取りモードと、原稿台に原稿をセットして読み取る第２の読み取りモードにおけるレベル変換方法について説明する。
図６は読み取り時のレベル変換処理を示すフローチャートである。なお、以下に説明する処理は、コピー時において、スタートキーが押された後、図示しないシステムコントローラにより実行される。
この場合、先ず、システムコントローラは、ＳＤＦ１３に原稿がセットされているかを判断し、原稿がセットされていない場合は、圧板モードであると判断し（Ｓ１のＹ）、スキャナγ部４９に圧板モードのγデータをセットして（Ｓ２）、読み取りを行う。
次いで、コントローラは制御ＡＳＩＣ６４を制御してＤＡＣ６５の出力を圧板読み取り時のＶ１の値をセットして、切替回路６６でＶ１出力をＶｒｅｆｔとしてＡ／Ｄコンバータ４４に出力する（Ｓ３）。
次に、モータスタート及びランプをＯＮして、第１キャリッジ６、第２キャリッジ７をフォワード方向に走査する（Ｓ４）。第１キャリッジが白基準板に到達したときに白基準板を走査しながらシェーディングデータを生成する（Ｓ５）。そして、シェーディングデータ生成後、制御ＡＳＩＣ６４はＤＡＣ６５の出力をＶ２として圧板読み取り時のＶ２の値をセットして、切替回路６６でＶ２出力をＶｒｅｆｔとしてＡ／Ｄコンバータ４４に出力する（Ｓ６）。そして、第１キャリッジ６がコンタクトガラス１上の原稿先端に到達した時点で画像読み取りを開始する（Ｓ７）。読み取った画像データは、スキャナγ部４９において、先にシートスルーモード時に応じて設定したγデータによりγ変換が行われる。
【００１３】
第１キャリッジ６が原稿終端に到達した時点で、画像読み取りを終了すると共に、モータストップ・ランプＯＦＦする（Ｓ８）。続いて第１キャリッジ６、第２キャリッジ７をリターン方向に移動させる（Ｓ９）。第１キャリッジ６、第２キャリッジ７がホームポジションに到達した時点でモータストップさせて、圧板スキャン動作の終了となる（Ｓ１０）。
一方、システムコントローラは、ＳＤＦ１３に原稿がセットされているかを判断し、ＳＤＦに原稿がセットされている場合は、シートスルーモードであると判断し（Ｓ１のＮ）、スキャナγ部４９にシートスルーモード用のγデータをセットして（Ｓ１１）読み取りを行う。
次いで、コントローラは制御ＡＳＩＣ６４を制御して、ＤＡＣ６５の出力を圧板読み取り時のＶ１の値にセットして、切替回路６６でＶ１出力をＶｒｅｆｔとしてＡ／Ｄコンバータ４４に出力する（Ｓ１２）。
次に、モータスタート及びランプをＯＮして、第１キャリッジ６、第２キャリッジ７をフォワード方向に走査する（Ｓ１３）。第１キャリッジが白基準板に到達したときに白基準板を走査しながらシェーディングデータを生成する（Ｓ１４）。そして、シェーディングデータ生成後に第１キャリッジ６、第２キャリッジ７をリターン方向に移動させる（Ｓ１６）。第１キャリッジ６、第２キャリッジ７がホームポジションに到達した時点でモータストップさせる（Ｓ１７）。続いて切替回路６６でＶ２出力をＶｒｅｆｔとしてＡ／Ｄコンバータ４４に出力する（Ｓ１８）。ＳＤＦ１３の原稿先端が、ＳＤＦ用コンタクトガラス３０上に到達した時点で画像読み取りを開始し（Ｓ１９）、原稿終端がＳＤＦ用コンタクトガラス３０上に到達後に画像読み取り終了してランプをＯＦＦ（Ｓ２０）させて、ＳＤＦスキャン動作の終了となる。
【図面の簡単な説明】
【００１４】
【図１】本発明による画像読取装置の一実施形態の概略図。
【図２】本実施形態における読み取り位置Ｙ周辺の構成図。
【図３】本実施形態における読み取ったデータの処理部のブロック図。
【図４】ＣＣＤ出力からデジタル画像信号を得るまでのスキャナの信号処理ブロック図。
【図５】読取位置Ｙからの距離に応じた原稿反射率と読み取りデータの関係を示した図。
【図６】読み取り時のレベル変換処理を示すフローチャート。
【符号の説明】
【００１５】
１  コンタクトガラス、２  照明ランプ、３  第１反射ミラー、４  第２反射ミラー、５  第３反射ミラー、６  第１キャリッジ、７  第２キャリッジ、８  レンズユニット、９  ＣＣＤリニアイメージセンサ、１０  センサーボード、１１  白基準板、１３  スキャナ、２０  ＳＤＦ、２１  原稿トレイ、２２  原稿、２３  ピックアップローラ、２４  フィードローラ、２５  分離ローラ、２６  搬送ドラム、２７  従動コロ、２８  排紙ローラ対、２９  排紙トレイ、３０  シートスルー用コンタクトガラス、３１  上ガイド板、４０  スキャナ、４０  階調処理部、４１  画像処理部、４２  プリンタ部、４３  アナログ処理回路、４４  Ａ／Ｄコンバータ（ＡＤＣ）、４５  ライン間補正部、４６  シェーディング補正部、４７  像域分離部、４８  ドット補正部、４９  スキャナγ部、５０  フィルタ、５１  色補正部、５２  変倍部、５３  プリンタγ部、５４  階調処理部、５５  ＬＤ書き込み部、５６  レベル変換回路、６０  サンプルホールド回路、６１  黒レベル補正回路部、６３  マルチプレクス回路、６４  制御ＡＳＩＣ、６５  Ｄ／Ａコンバータ（ＤＡＣ）、６６  切替回路、６７  インターフェース（Ｉ／Ｆ）
【図１】
2006087051.tif 000003
【図２】
2006087051.tif 000004
【図３】
2006087051.tif 000005
【図４】
2006087051.tif 000006
【図５】
2006087051.tif 000007
【図６】
2006087051.tif 000008